(57)【要約】【課題】本発明は、平板状の素材を用いながら、正面板と同正面板の両側の側板との間に薄肉の継手板を介在させることにより、正面板の両側に円弧状断面の側縁部を形成できるようにした組立式ケースを提供することを課題とする。【解決手段】直方体状の組立式ケースにおいて、方形厚肉の正面板１と、同正面板１の両側における厚肉の側板３との間に、円弧状断面の側縁部を形成しうる薄肉の継手板２が介在しており、同継手板２は、その中心線に沿い肉厚の最も薄い部分を有して、正面板１および側板３へ近づくにつれて肉厚を漸増するように形成されている。【選択図】  図１
2004323103.tif 000002
【特許請求の範囲】
【請求項１】
直方体状の組立式ケースであって、方形厚肉の正面板と、同正面板の両側にそれぞれ円弧状断面の側縁部を形成しうるように薄肉の継手板を介して接続された厚肉の側板と、上記正面板の上縁に沿い形成された傾斜面に当接して直角に折り曲げ可能の傾斜縁部を有し同正面板に接続された厚肉の上部板と、上記正面板の下縁に沿い形成された傾斜面に当接して直角に折り曲げ可能の傾斜縁部を有し同正面板に接続された厚肉の下部板とをそなえ、上記上部板の側縁部と上記側板の上縁部とが、一方の凸部と他方の凹部との係合による継手部を有するとともに、上記下部板の側縁部と上記側板の下縁部とが一方の凸部と他方の凹部との係合による継手部を有し、上記薄肉の継手板が、その中心線に沿い肉厚の最も薄い部分を有して上記の正面板および側板へ近づくにつれて肉厚を漸増するように形成されていることを特徴とする、組立式ケース。
【請求項２】
請求項１に記載の組立式ケースにおいて、上記の正面板，継手板および側板ならびに上部板の各外面に、組立て前の平面状態で印刷が施されていることを特徴とする、組立式ケース。
【請求項３】
請求項１または２に記載の組立式ケースにおいて、上記の側板，上部板および下部板の各外周縁部に、裏板の外周縁を係合させるための段部が形成されていることを特徴とする、組立式ケース。
【請求項４】
請求項３に記載の組立式ケースにおいて、上記側板の外端縁ならびに上記の上部板および下部板の各外端縁に、それぞれ上記裏板の外周縁に形成された突起部を嵌合させるための凹部が形成されていることを特徴とする、組立式ケース。
【発明の詳細な説明】
【０００１】
【発明の属する技術分野】
本発明は、平板状のプラスチックなどの素材を折り曲げて直方体状に形成される組立式ケースに関し、特にケース正面板の両側にそれぞれ円弧状断面の側縁部を形成されるようにした組立式ケースに関する。
【０００２】
【従来の技術】
従来、平板状のプラスチック素材を折り曲げることによりサイコロ状のケースを組立てるようにしたものが開発されており、例えば平成１２年５月１２日発行の実用新案登録第３０６８３９５号の登録実用新案公報に示されている。
【０００３】
しかしながら、上記公報に記載されたような従来の平板状素材による組立式ケースでは、ケース正面板の両側にそれぞれ円弧状断面の側縁部（図９の符号Ｒ参照）をそなえた直方体状のケースを作ることはできない。
【０００４】
一方、金型を用いてプラスチック材のケースを成形加工することにより、正面板の両側縁部に丸みを付するようにしたものが製造されているが、このような手段ではケース表面に印刷を施す場合に、高価な転写フィルムを必要とするという不具合がある。
【０００５】
【発明が解決しようとする課題】
そこで本発明は、平板状の素材を用いながら、正面板と同正面板の両側の側板との間に薄肉の継手板を介在させることにより、正面板の両側に円弧状断面の側縁部を形成できるようにした組立式ケースを提供することを課題とする。
【０００６】
【課題を解決するための手段】
前述の課題を解決するため、本発明の組立式ケースは、直方体状の組立式ケースであって、方形厚肉の正面板と、同正面板の両側にそれぞれ円弧状断面の側縁部を形成しうるように薄肉の継手板を介して接続された厚肉の側板と、上記正面板の上縁に沿い形成された傾斜面に当接して直角に折り曲げ可能の傾斜縁部を有し同正面板に接続された厚肉の上部板と、上記正面板の下縁に沿い形成された傾斜面に当接して直角に折り曲げ可能の傾斜縁部を有し同正面板に接続された厚肉の下部板とをそなえ、上記上部板の側縁部と上記側板の上縁部とが、一方の凸部と他方の凹部との係合による継手部を有するとともに、上記下部板の側縁部と上記側板の下縁部とが一方の凸部と他方の凹部との係合による継手部を有し、上記薄肉の継手板が、その中心線に沿い肉厚の最も薄い部分を有して上記の正面板および側板へ近づくにつれて肉厚を漸増するように形成されていることを特徴としている。
【０００７】
また、本発明の組立式ケースは、上記の正面板，継手板および側板ならびに上部板の各外面に、組立て前の平面状態で印刷が施されていることを特徴としていいる。
【０００８】
さらに、本発明の組立式ケースは、上記の側板，上部板および下部板の各外周縁部に、裏板の外周縁を係合させるための段部が形成されていることを特徴としている。
【０００９】
また、本発明の組立式ケースは、上記側板の外端縁ならびに上記の上部板および下部板の各外端縁に、それぞれ上記裏板の外周縁に形成された突起部を嵌合させるための凹部が形成されていることを特徴としている。
【００１０】
上述の本発明の組立式ケースでは、方形厚肉の正面板と、その両側の厚肉の側板とが、薄肉の継手板を介し接続され、同継手板は、その中心線に沿い肉厚の最も薄い部分を有して上記の正面板および側板へ近づくにつれ肉厚を漸増するように形成されるので、上記正面板の上縁の傾斜面に当接して折り曲げ可能の傾斜縁部を有する上部板と、同様に設けられる下部板とが、それぞれ上記両側の厚肉の側板の上縁部および下縁部に対して、一方の凸部と他方の凹部との係合による継手部を介し結合されることと相まって、上記の正面板と側板とを接続する薄肉の継手板は所要の円弧状断面を有するように的確に弯曲状態へ移行することができる。
【００１１】
そして、上記の正面板，継手板および側板ならびに上部板の各外面には、組立て前の平面状態で印刷を施されるので、従来の金型内での印刷に用いられた高価な転写フィルムが不要になり、同フィルムの装填を必要とする特殊な金型自体も不要になるので、大幅なコストダウンがもたらされる。
【００１２】
また、上記の側板，上部板および下部板の各外周縁部に、裏板の外周縁を係合させるための段部が形成されていると、上記ケースの組立て時における上記裏板の装着が容易に行われるようになる。
【００１３】
そして、上記側板の外端縁ならびに上記の上部板および下部板の各外端縁に、それぞれ上記裏板の外周縁に形成された突起部が嵌合できるように凹部を形成されていると、上記正面板から折り曲げられた上記の側板，上部板および下部板が元の位置に戻ろうとするのを上記裏板の嵌合により阻止することができるので、上記ケースの組立てが、一層能率よく適切に行われるようになる。
【００１４】
【発明の実施の形態】
以下、図面により本発明の一実施形態としての組立式ケースについて説明すると、図１はその組立て前の状態の内面を示す展開図、図２は図１のＡ−Ａ矢視断面図、図３は図１のＢ−Ｂ矢視断面図、図４は図１のＣ−Ｃ矢視断面図、図５は図１のＤ−Ｄ矢視断面図、図６は図１のＥ−Ｅ矢視図であり、図７は上記ケースの裏面に装着される裏板の内面図、図８は図７の裏板の一部を示す斜視図、図９は組立て後のケースを示す斜視図である。
【００１５】
本実施形態は、図９に示すような両側部に円弧状断面の側縁部Ｒを有する直方体状のケースを組立てるものであって、図１および図２に示すように、方形厚肉の正面板１の両側に、それぞれ円弧状断面の側縁部Ｒを形成しうる薄肉の継手板２を介して、厚肉の側板３が接続されている。
【００１６】
また正面板１の上縁には、図１，３に示すように、同正面板１の上縁に沿い形成された傾斜面１ａに当接して直角に折り曲げ可能の傾斜縁部４ａを有する厚肉の上部板４が接続されており、同様に正面板１の下縁にも、同正面板１の下縁に沿い形成された傾斜面１ａに当接して直角に折り曲げ可能の傾斜縁部５ａを有する厚肉の下部板５が接続されている。
【００１７】
そして、上部板４の側縁部と側板３の上縁部とが、一方の凸部ｍと他方の凹部ｎとの係合による継手部を有するとともに、下部板５についても、その側縁部と側板３の下縁部とが、一方の凸部ｍと他方の凹部ｎとの係合による継手部を有している。
【００１８】
薄肉の継手板２は、図２に示すように、その中心線に沿い肉厚の最も薄い部分を有して、正面板１および側板３へ近づくにつれ肉厚を漸増するように形成されており、これにより、側板３の折り曲げに伴って、図９に示す円弧状断面の側縁部Ｒが形成されるようになっている。
【００１９】
なお、上記円弧状断面の側縁部Ｒの形成に支障をきたさないように、図１に示すごとく、上部板４および下部板５の根元部両側には、円弧状隅角部４ｂ，５ｂが形成されている。
【００２０】
さらに、この組立式ケースにおいては、正面板１，継手板２，側板３，上部板４および下部板５の各外面に、組立て前の平面状態で印刷（図示せず）が施されるが、下部板５の外面については印刷を省略してもよい。
【００２１】
上述のように構成される組立式ケースには、さらに図７，８に示す裏板６が装着されるようになっており、このため、図１，２に示すごとく、側板３，上部板４および下部板５の各外周縁部に、裏板６の外周縁を係合させるための段部３ａ，４ｃ，５ｃが形成されている。
【００２２】
また、両側板３，３の外端縁ならびに上部板４および下部板５の各外端縁には、それぞれ裏板６の外周縁に形成された突起部６ａ，６ｂに嵌合しうる凹部３ｂ，４ｄ，５ｄが形成されている。
【００２３】
上述の本実施形態の組立式ケースでは、方形厚肉の正面板１と、その両側の厚肉の側板３とが、薄肉の継手板２を介し接続され、同継手板２は、その中心線に沿い肉厚の最も薄い部分を有して正面板１および側板３へ近づくにつれ肉厚を漸増するように形成されるので、正面板１の上縁の傾斜面１ａに当接して折り曲げ可能の傾斜縁部４ａを有する上部板４と、同様に設けられる下部板５とが、それぞれ両側の厚肉の側板３の上縁部および下縁部に対して、一方の凸部ｍと他方の凹部ｎとの係合による継手部を介し結合されることと相まって、正面板１と側板３とを接続する薄肉の継手板２は所要の円弧状断面を有するように的確に弯曲状態へ移行することができる。
【００２４】
そして、正面板１，継手板２および側板３ならびに上部板４の各外面には、組立て前の平面状態で印刷を施されるので、従来の金型内での印刷に用いられた高価な転写フィルムが不要になり、同フィルムの装填を必要とする特殊な金型自体も不要になるので、大幅なコストダウンがもたらされる。
【００２５】
また、側板３，上部板４および下部板５の各外周縁部に、裏板６の外周縁を係合させるための段部３ａ，４ｃ，５ｃが形成されているので、ケースの組立て時における裏板６の装着が容易に行われるようになる。
【００２６】
そして、側板３の外端縁ならびに上部板４および下部板５の各外端縁に、それぞれ裏板６の外周縁に形成された突起部６ａ，６ｂが嵌合できるように凹部３ｂ，４ｄ，５ｄが形成されているので、正面板１から折り曲げられた側板３，上部板４および下部板５が元の位置に戻ろうとするのを裏板６の嵌合により阻止できるようになり、これによりケースの組立てが、一層能率よく適切に行われるようになる。
【００２７】
なお、正面板１，継手板２，側板３，上部板４および下部板５の相互間の継ぎ目は、必要に応じ超音波溶着あるいは接着剤などで強固に結合することができる。
【００２８】
このようにして、本実施形態の組立式ケースによれば、平板状のプラスチックなどの素材を用いながら、正面板１と側板３との間に薄肉の継手板２を介在させることと、同継手板２の弯曲を規制すべく、上部板４の側縁部と側板３の上縁部との間および下部板５の側縁部と側板３の下縁部との間に、それぞれ凸部ｍと凹部ｎとの係合による継手部を設けることによって、図９に示すごとく正面板１の両側に円弧状断面の側縁部Ｒを適切に形成できるようになる。
【００２９】
そして、ケース表面への印刷は、組立て前の平板状態で、予め容易に且つ低コストで実施できるようになる利点が得られる。
【００３０】
【発明の効果】
以上詳述したように、本発明の組立式ケースによれば次のような効果が得られる。
（１）  方形厚肉の正面板と、その両側の厚肉の側板とが、薄肉の継手板を介し接続され、同継手板は、その中心線に沿い肉厚の最も薄い薄い部分を有して上記の正面板および側板へ近づくにつれ肉厚を漸増するように形成されるので、上記正面板の上縁の傾斜面に当接して折り曲げ可能の傾斜縁部を有する上部板と、同様に設けられる下部板とが、それぞれ上記両側の厚肉の側板の上縁部および下縁部に対して、一方の凸部と他方の凹部との係合による継手部を介し結合されることと相まって、上記の正面板と側板とを接続する薄肉の継手板は所要の円弧状断面を有するように的確に弯曲状態へ移行することができる。
（２）  上記の正面板，継手板および側板ならびに上部板の各外面には、組立て前の平面状態で印刷を施されるので、従来の金型内での印刷に用いられた高価な転写フィルムが不要になり、同フィルムの装填を必要とする特殊な金型自体も不要になるので、大幅なコストダウンがもたらされる。
（３）  上記の側板，上部板および下部板の各外周縁部に、裏板の外周縁を係合させるための段部が形成されていると、上記ケースの組立て時における上記裏板の装着が容易に行われるようになる。
（４）  上記側板の外端縁ならびに上記の上部板および下部板の各外端縁に、それぞれ上記裏板の外周縁に形成された突起部が嵌合できるように凹部を形成されていると、上記正面板から折り曲げられた上記の側板，上部板および下部板が元の位置に戻ろうとするのを上記裏板の嵌合により阻止することができるので、上記ケースの組立てが、一層能率よく適切に行われるようになる。
【図面の簡単な説明】
【図１】本発明の一実施形態としての組立式ケースの展開図である。
【図２】図１のＡ−Ａ矢視断面図である。
【図３】図１のＢ−Ｂ矢視断面図である。
【図４】図１のＣ−Ｃ矢視断面図である。
【図５】図１のＤ−Ｄ矢視断面図である。
【図６】図１のＥ−Ｅ矢視図である。
【図７】上記ケースの裏面に装着される裏板の内面図である。
【図８】図７の裏板の一部を示す斜視図である。
【図９】上記ケースの完成状態を示す斜視図である。
【符号の説明】
１  正面板
１ａ  傾斜面
２  継手板
３  側板
３ａ  段部
３ｂ  凹部
４  上部板
４ａ  傾斜縁部
４ｂ  円弧状隅角部
４ｃ  段部
４ｄ  凹部
５  下部板
５ａ  傾斜縁部
５ｂ  円弧状隅角部
５ｃ  段部
５ｄ  凹部
６  裏板
６ａ，６ｂ  突起部
ｍ  凸部
ｎ  凹部
Ｒ  側縁部
【図１】
2004323103.tif 000003
【図２】
2004323103.tif 000004
【図３】
2004323103.tif 000005
【図４】
2004323103.tif 000006
【図５】
2004323103.tif 000007
【図６】
2004323103.tif 000008
【図７】
2004323103.tif 000009
【図８】
2004323103.tif 000010
【図９】
2004323103.tif 000011